(57)【要約】【課題】  ディスプレイ上に表示されるオブジェクトに装飾を付加する際のユーザ操作数を削減し、ユーザによるオブジェクトへの装飾付加操作の効率を高めるようにする。【解決手段】  文字等のオブジェクトに色とサイズを指定した装飾を施す場合、携帯電話端末はディスプレイ上に「色／サイズ」の装飾指定用ウィンドウ２２を表示する。ウィンドウ２２には端末筐体の方向指示デバイスの方向指示と決定ボタンによる決定指示に対応するように、各色を表す各アイコンが横方向に配列したカラーパレット２３と各サイズを表す各アイコンが縦方向に配列したサイズパレット２４とが、交差部分でアイコンが重なる形で配置されている。カラーパレット２３の各アイコンは方向指示デバイスの左右方向指示操作に応じて選択され、サイズパレット２４の各アイコンは上下方向指示操作に応じて選択され、決定ボタンの押下操作によりそれら選択が確定される。【選択図】  図４
2006227844.tif 000002
【特許請求の範囲】
【請求項１】
オブジェクトを表示するための表示手段と、
ユーザによる操作に応じた操作信号を発生する第１及び第２の操作子を備えた操作手段と、
上記表示手段の表示画面上に表示されるオブジェクトに対して付加可能な、第１の装飾に関する複数の装飾アイコンを含む第１の装飾アイコン群と第２の装飾に関する複数の装飾アイコンを含む第２の装飾アイコン群とを、上記表示手段の表示画面上に表示させるアイコン表示制御手段と、
上記操作手段の第１の操作子の操作に応じて、上記アイコン表示制御手段により表示されている第１の装飾アイコン群に含まれる所定の装飾アイコンの選択を行い、上記第２の操作子の操作に応じて上記アイコン表示制御手段により表示されている第２の装飾アイコン群に含まれる装飾アイコンの選択を行うよう制御する選択制御手段と、
上記操作手段からの所定の操作指示決定操作に応じて、上記選択制御手段によって選択制御された各装飾アイコンを同時に確定するよう制御する確定制御手段と、
上記確定制御手段で確定制御された各装飾アイコンに対応する装飾を上記表示手段に表示されるオブジェクトに対して施す装飾制御手段とを有する
ことを特徴とする携帯端末。
【請求項２】
請求項１記載の携帯端末であって、
上記操作手段の第１の操作子は、上下方向に指示可能な操作子であり、上記操作手段の第２の操作子は、左右方向に指示可能な操作子であり、
上記アイコン表示制御手段は、上記第１の装飾アイコン群に含まれる複数の装飾アイコンを上下方向に配列して表示し、上記第２の装飾アイコン群に含まれる複数の装飾アイコンを左右方向に配列して表示すると共に、第１の装飾アイコン群に含まれる装飾アイコンの一つと、第２の装飾アイコン群に含まれる装飾アイコンの一つとが交差するように表示し、
上記選択制御手段は、上記第１の操作子の操作に応じて、上記第１の装飾アイコン群に含まれる所定の装飾アイコンを上下に移動させ、上記第２の操作子の操作に応じて上記第２の装飾アイコン群に含まれる装飾アイコンを左右に移動させることにより、上記交差する装飾アイコンを移動させることで選択するよう制御し、
上記確定制御手段は、上記操作手段の所定の指示決定操作に応じて、上記交差している各装飾アイコンを同時に確定するよう制御することを特徴とする携帯端末。
【請求項３】
請求項１又は請求項２記載の携帯端末であって、
上記確定制御手段は、上記操作手段からの所定の解除操作に応じて、直前の上記所定の決定指示操作による上記選択の確定を解除することを特徴とする携帯端末。
【請求項４】
表示手段の表示画面上に表示されるオブジェクトに対して付加可能な、第１の装飾に関する複数の装飾アイコンを含む第１の装飾アイコン群と第２の装飾に関する複数の装飾アイコンを含む第２の装飾アイコン群とを、アイコン表示制御手段が、上記表示手段の表示画面上に表示させるステップと、
ユーザによる操作に応じた操作信号を発生する第１及び第２の操作子を備えた操作手段の上記第１の操作子の操作に応じて、上記アイコン表示制御手段により表示されている第１の装飾アイコン群に含まれる所定の装飾アイコンの選択を行い、上記第２の操作子の操作に応じて上記アイコン表示制御手段により表示されている第２の装飾アイコン群に含まれる装飾アイコンの選択を行うよう、選択制御手段が制御するステップと、
上記操作手段からの所定の操作指示決定操作に応じて、上記選択制御手段によって選択制御された各装飾アイコンを同時に確定するよう、確定制御手段が制御するステップと、
上記確定制御手段で確定制御された各装飾アイコンに対応する装飾を、装飾制御手段が、上記表示手段に表示されるオブジェクトに対して施すステップとを有する
ことを特徴とするオブジェクト装飾方法。
【請求項５】
請求項４記載のオブジェクト装飾方法であって、
上記操作手段の第１の操作子は、上下方向に指示可能な操作子であり、上記操作手段の第２の操作子は、左右方向に指示可能な操作子であり、
上記アイコン表示制御手段が、上記第１の装飾アイコン群に含まれる複数の装飾アイコンを上下方向に配列して表示し、上記第２の装飾アイコン群に含まれる複数の装飾アイコンを左右方向に配列して表示すると共に、第１の装飾アイコン群に含まれる装飾アイコンの一つと、第２の装飾アイコン群に含まれる装飾アイコンの一つとが交差するように表示するステップと、
上記選択制御手段が、上記第１の操作子の操作に応じて、上記第１の装飾アイコン群に含まれる所定の装飾アイコンを上下に移動させ、上記第２の操作子の操作に応じて上記第２の装飾アイコン群に含まれる装飾アイコンを左右に移動させることにより、上記交差する装飾アイコンを移動させることで選択するよう制御するステップと、
上記確定制御手段が、上記操作手段の所定の指示決定操作に応じて、上記交差している各装飾アイコンを同時に確定するよう制御するステップを有することを特徴とするオブジェクト装飾方法。
【請求項６】
請求項４又は請求項５記載のオブジェクト装飾方法であって、
上記確定制御手段が、上記操作手段からの所定の解除操作に応じて、直前の上記所定の決定指示操作による上記選択の確定を解除するステップを有することを特徴とするオブジェクト装飾方法。
【発明の詳細な説明】
【技術分野】
【０００１】
本発明は、例えば携帯電話端末やＰＤＡ（Personal Digital(Data） Assistants）等の携帯端末と、例えばディスプレイ上に表示される文字や記号等のオブジェクトにユーザ所望の装飾を付加する際に好適なオブジェクト装飾方法に関する。
【背景技術】
【０００２】
従来より、例えば携帯電話端末やＰＤＡ等のように、ディスプレイの画面サイズが小さく、一画面内に表示可能な情報量が限られ、また、筐体が小さいために、ユーザにより操作可能なデバイスの搭載数も限られているような携帯端末において、例えばディスプレイ上に表示される文字や記号等のオブジェクトに対して色や模様、サイズ等の所望の装飾を付加させるような場合、ユーザの操作と携帯端末の動作は例えば以下のようなものとなる。
【０００３】
先ず、ユーザにより操作デバイスが操作され、オブジェクトに対する装飾処理機能の起動指示入力がなされると、携帯端末は、オブジェクトに装飾を施すための機能を起動させ、色や模様、サイズ等の各種装飾のうち何れか一種の装飾を決めるための装飾種メニュー項目をディスプレイ上に表示させる。
【０００４】
ここで、ユーザが操作デバイスを操作し、上記色や模様、サイズ等の各種装飾に対応した装飾種メニュー項目の中から、例えば色に関する装飾種メニュー項目を選択する操作を行い、更に、その選択を確定するための操作を行うと、携帯端末は、複数の色の中から何れか一つの色を決めるための色選択メニュー項目（例えばカラーパレット）をディスプレイ上に表示させる。そして、ユーザが操作デバイスを操作し、上記色選択メニュー項目の中から、所望の色を選択する操作を行い、更に、その選択を確定するための操作を行うと、携帯端末は、当該色に関する装飾の処理を終了し、上記装飾種メニュー項目の表示画面に戻す。
【０００５】
次に、ユーザが操作デバイスを操作し、上記装飾種メニュー項目の中から、例えばサイズに関する装飾種メニュー項目を選択する操作を行い、更に、その選択を確定するための操作を行うと、携帯端末は、複数のサイズの中から何れか一つのサイズを決めるためのサイズ選択メニュー項目をディスプレイ上に表示させる。そして、ユーザが操作デバイスを操作し、上記サイズ選択メニュー項目の中から、所望のサイズを選択する操作を行い、更に、その選択を確定するための操作を行うと、携帯端末は、当該サイズに関する装飾の処理を終了し、上記装飾種メニュー項目の表示画面に戻す。
【０００６】
次に、ユーザが操作デバイスを操作し、上記装飾種メニュー項目の中から、例えば模様に関する装飾種メニュー項目を選択する操作を行い、更に、その選択を確定するための操作を行うと、携帯端末は、複数の模様の中から何れか一つの模様を決めるための模様選択メニュー項目をディスプレイ上に表示させる。そして、ユーザが操作デバイスを操作し、上記模様選択メニュー項目の中から、所望の模様を選択する操作を行い、更に、その選択を確定するための操作を行うと、携帯端末は、当該模様に関する装飾の処理を終了し、上記装飾種メニュー項目の表示画面に戻す。
【０００７】
従来の携帯端末では、オブジェクトに所望の装飾を施す場合には、上述のようなユーザ操作と端末動作が繰り返される。
【０００８】
また、従来の携帯端末において、オブジェクトに装飾を付加する際の手順としては、先に色や模様、サイズ等の所望の装飾についての選択と確定のための操作を行い、その後にオブジェクトを入力するような手順（以下、事前装飾と呼ぶ）と、先にオブジェクトを入力した後、装飾を施したい一つのオブジェクトを指定若しくは複数のオブジェクトを指定（以下、範囲指定と呼ぶ）した上で、所望の装飾についての選択と確定のための操作を行うような手順（以下、事後装飾と呼ぶ）がある。従来の携帯端末では、これら事前装飾、事後装飾の何れの場合においても、オブジェクトに所望の装飾を施す際には、上述したようなメニュー項目の表示とそれらの選択及び確定操作が行われている。
【０００９】
なお、例えば特開２００４−１９９５５０号の公開特許公報（特許文献１）と特開２００４−１９８８７２号の公開特許公報（特許文献２）には、装飾のための複数のメニュー項目の中から所望のメニュー項目を選択することで、入力したテキストの色やサイズ、フォントを所望のものに設定して画面上に表示可能とした端末装置が開示されている。
【００１０】
【特許文献１】特開２００４−１９９５５０号公報（第１８図）
【特許文献２】特開２００４−１９８８７２号公報（第６図）
【発明の開示】
【発明が解決しようとする課題】
【００１１】
上述したように、オブジェクトに複数の装飾を付加させる場合、ユーザは、先ず、装飾の種類を選択及び確定した後、当該確定した装飾の種類に分類されている複数の装飾の中から所望の装飾を選択及び確定し、次に、別の装飾の種類を選択及び確定した後、当該確定した装飾の種類に分類されている複数の装飾の中から所望の装飾を選択及び確定するような操作を何度も繰り返さなければならず、非常に煩雑である。
【００１２】
本発明は、このような実情に鑑みて提案されたものであり、ディスプレイ上に表示される文字や記号等のオブジェクトに対して色や模様、サイズ等の装飾を付加する際のユーザ操作数を削減可能とし、ユーザがオブジェクトに装飾を付加させる際の操作効率を高めることを可能とする、携帯端末及びオブジェクト装飾方法を提供することを目的とする。
【課題を解決するための手段】
【００１３】
本発明の携帯端末は、オブジェクトを表示するための表示手段と、ユーザによる操作に応じた操作信号を発生する第１及び第２の操作子を備えた操作手段と、表示手段の表示画面上に表示されるオブジェクトに対して付加可能な、第１の装飾に関する複数の装飾アイコンを含む第１の装飾アイコン群と第２の装飾に関する複数の装飾アイコンを含む第２の装飾アイコン群とを、表示手段の表示画面上に表示させるアイコン表示制御手段と、操作手段の第１の操作子の操作に応じて、アイコン表示制御手段により表示されている第１の装飾アイコン群に含まれる所定の装飾アイコンの選択を行い、第２の操作子の操作に応じてアイコン表示制御手段により表示されている第２の装飾アイコン群に含まれる装飾アイコンの選択を行うよう制御する選択制御手段と、操作手段からの所定の操作指示決定操作に応じて、選択制御手段によって選択制御された各装飾アイコンを同時に確定するよう制御する確定制御手段と、確定制御手段で確定制御された各装飾アイコンに対応する装飾を表示手段に表示されるオブジェクトに対して施す装飾制御手段とを有することにより、上述した課題を解決する。
【００１４】
特に、操作手段の第１の操作子は上下方向に指示可能な操作子であり、操作手段の第２の操作子は左右方向に指示可能な操作子である。また、アイコン表示制御手段は、第１の装飾アイコン群に含まれる複数の装飾アイコンを上下方向に配列して表示し、第２の装飾アイコン群に含まれる複数の装飾アイコンを左右方向に配列して表示すると共に、第１の装飾アイコン群に含まれる装飾アイコンの一つと、第２の装飾アイコン群に含まれる装飾アイコンの一つとが交差するように表示する。選択制御手段は、第１の操作子の操作に応じて、第１の装飾アイコン群に含まれる所定の装飾アイコンを上下に移動させ、第２の操作子の操作に応じて第２の装飾アイコン群に含まれる装飾アイコンを左右に移動させることにより、交差する装飾アイコンを移動させることで選択するよう制御する。確定制御手段は、操作手段の所定の指示決定操作に応じて、交差している各装飾アイコンを同時に確定するよう制御する。
【００１５】
また、本発明のオブジェクト装飾方法は、表示手段の表示画面上に表示されるオブジェクトに対して付加可能な、第１の装飾に関する複数の装飾アイコンを含む第１の装飾アイコン群と第２の装飾に関する複数の装飾アイコンを含む第２の装飾アイコン群とを、アイコン表示制御手段が、表示手段の表示画面上に表示させるステップと、ユーザによる操作に応じた操作信号を発生する第１及び第２の操作子を備えた操作手段の第１の操作子の操作に応じて、アイコン表示制御手段により表示されている第１の装飾アイコン群に含まれる所定の装飾アイコンの選択を行い、第２の操作子の操作に応じて上記アイコン表示制御手段により表示されている第２の装飾アイコン群に含まれる装飾アイコンの選択を行うよう、選択制御手段が制御するステップと、操作手段からの所定の操作指示決定操作に応じて、選択制御手段によって選択制御された各装飾アイコンを同時に確定するよう、確定制御手段が制御するステップと、確定制御手段で確定制御された各装飾アイコンに対応する装飾を、装飾制御手段が、表示手段に表示されるオブジェクトに対して施すステップとを有することにより、上述した課題を解決する。
【００１６】
すなわち、本発明によれば、第１の操作子の操作により第１の装飾アイコン群に含まれる所定の装飾アイコンの選択が可能であり、第２の操作子の操作により第２の装飾アイコン群に含まれる装飾アイコンの選択が可能となされているため、それらアイコンに対応付けられている第１，第２の装飾の選択が容易となっている。また、本発明によれば、第１，第２の操作子により選択された各装飾アイコンが、操作手段からの所定の操作指示決定操作によって同時に確定するようになされているため、各装飾をそれぞれ個々に選択及び確定する場合と比較して、操作ステップ数を少なくしている。
【発明の効果】
【００１７】
本発明によれば、第１，第２の操作子の操作により、それぞれ第１，第２の装飾アイコン群に含まれる装飾アイコンの選択が可能となされており、また、第１，第２の操作子により選択された各装飾アイコンが、操作手段からの所定の操作指示決定操作によって同時に確定するようになされているため、ディスプレイ上に表示される文字や記号等のオブジェクトに対して色や模様、サイズ等の装飾を付加する際のユーザ操作数を削減可能であり、その結果として、ユーザがオブジェクトに装飾を付加させる際の操作効率を高めることが可能となっている。
【発明を実施するための最良の形態】
【００１８】
以下、図面を参照しながら、本発明の携帯端末及びオブジェクト装飾方法の一実施形態について説明する。
【００１９】
なお、本実施形態では、本発明の一例として携帯電話端末を挙げており、また、本発明にかかるオブジェクトの一例として文字を挙げている。勿論、ここで説明する内容はあくまで一例であり、本発明はこの例に限定されないことは言うまでもない。
【００２０】
〔携帯電話端末の概略構成〕
図１には、本実施形態の携帯電話端末１の概略的な外観構成例を示す。
【００２１】
本実施形態の携帯電話端末１は、例えば液晶デバイスにより構成されたディスプレイ２、受話用のスピーカ３、電話番号や文字等を入力するためのキーボタンであるテンキー（１２キー）４、発話キー、クリアキー、終話／電源キーなどの各キー、メニュー操作等の際に押下される決定ボタン７（本発明にかかる所定の操作指示決定操作を行うための操作子）と、上下左右の方向指示（本発明にかかる第１，第２の操作子による方向指示）を行うための方向指示デバイス８、送話用のマイクロホン５等を備えている。また、図示は省略しているが、本実施形態の携帯電話端末１の筐体背面側（液晶ディスプレイ２側に対して背面側）には、カメラ部、当該カメラ部にて撮影する際の撮影補助光を発光する撮影補助ライト等が備えられている。
【００２２】
本実施形態の携帯電話端末が通常備えている回路構成やその他の構成の図示及びその説明については省略する。
【００２３】
〔携帯電話端末の概略的な内部構成〕
図２には、本実施形態の携帯電話端末１の概略的な内部回路構成を示す。
【００２４】
アンテナ１２は、例えば内蔵アンテナであり通話やパケット通信のための信号電波の送受信を行う。通信回路１１は、送受信信号の周波数変換、変調と復調等を行う。なお、パケット通信により送受信されるデータは、画像データや電子メール、プログラムデータ、その他の各種データである。
【００２５】
受信された通話音声のデータは、データラインを介して制御部１０へ送られる。制御部１０は、ＣＰＵ（中央処理装置）からなり、通話音声データを復号化し、その復号化後の音声データをデータラインを介してスピーカ１６へ送る。
【００２６】
スピーカ１６は、携帯電話端末本体に設けられている受話用のスピーカ３やリンガ（着信音）、音楽再生、アラーム音出力用のスピーカであり、ディジタル／アナログ変換器と増幅器を含み、通話音声やリンガ音のデータをディジタル／アナログ変換及び増幅した後、出力する。これにより、通話音声やリンガ音が得られることになる。
【００２７】
マイクロホン１７は、送話用のマイクロホン５に相当し、アナログ／ディジタル変換器と増幅器を含む。このマイクロホン１７を介して入力された通話音声信号は、増幅器により所定のレベルに増幅された後、アナログ／ディジタル変換器によりディジタル音声データに変換され、データラインを介して制御部１０へ送られて符号化された後、通信回路１１へ送られ、そこで変調、周波数変換等の各種処理を受けた後、通信アンテナ１２から送信される。
【００２８】
表示部１３は、前記ディスプレイ２とその表示駆動回路とを含み、上記ディスプレイ２上に、画像や、文字，記号等のオブジェクト、操作メニュー項目等を表示する。
【００２９】
操作部１４は、本実施形態の携帯電話端末１の筐体上に設けられているテンキー４や発話キー、クリアキー、終話／電源キー、マナーキー、メモキーなどの各キー、決定ボタン７や方向指示デバイス８などの各種操作子と、それら各操作子をユーザが操作したときの当該操作に応じた操作信号を発生する操作信号発生部とを有している。
【００３０】
音声処理部１８は、音楽等の再生処理の他、制御部１０により設定される各種音質調整値（例えば音量、イコライジングなど）に基づいて音声や音楽信号等を補正してスピーカ１６へ出力する処理等を行う。
【００３１】
画像処理部１９は、映像信号の再生処理や、内蔵メモリに圧縮符号化されて記録されている映像データの伸長復号化等の再生処理の他、制御部１０により設定される各種画質調整値（例えばホワイトバランス、ブライトネス、コントラスト、ガンマ補正など）に基づいて映像信号を補正して表示部１３へ出力する。
【００３２】
メモリ１５は、ＲＯＭ（Read Only Memory）とＲＡＭ（Random Access Memory）を含む。ＲＯＭは、ＯＳ（Operating System）、制御部１０が各部を制御するための制御プログラムや各種の初期設定値、フォントデータ、辞書データ、着信音やキー操作音，アラーム音用の報知音データ、電子メールの作成や編集等を行うためのアプリケーション用のプログラムコード、画像や音声に対して様々な処理を行うためのアプリケーション用プログラムコード、文字や記号等のオブジェクトに装飾を施す際の本発明にかかるオブジェクト装飾方法を実現するためのオブジェクト装飾プログラム、その他、携帯電話端末に搭載される各種のアプリケーション用のプログラムコード、当該携帯電話端末の識別情報（ＩＤ）などを記憶している。このＲＯＭは、いわゆるＮＡＮＤ型フラッシュメモリ（NAND-type flash memory）のような書き換え可能なＲＯＭを含み、電子メールデータ、ユーザにより設定される電話帳や電子メールアドレス、写真画像データ、ダウンロードされた写真データや音楽データ、ダウンロードされた着信音，報知音データ、文字データや予測変換の候補単語の登録データ、予測変換の学習データ、オブジェクト装飾に使用されるデータ、その他、各種のユーザ設定値等を保存することも可能となされている。ＲＡＭは、制御部１０が各種のデータ処理を行う際の作業領域として、随時データを格納する。
【００３３】
制御部１０は、上述した通話音声データの符号化や復号化、発着信の制御、着信時の報知制御、音声処理部１８や画像処理部１９の制御、本発明にかかるオブジェクト装飾処理時の各種制御、例えば、後述する装飾選択のためのアイコンの表示制御や、操作部１３の操作とアイコンの選択（装飾情報の選択）とを対応付ける選択制御、選択されたアイコン（装飾情報）を確定する確定制御、確定された装飾情報に応じてオブジェクトの装飾を施す装飾制御等、その他、制御ラインを介して当該携帯電話端末の各構成要素の制御、各種の演算処理を行う。
【００３４】
その他、図１には図示を省略しているが、本実施形態の携帯電話端末は、時計機能、ＧＰＳ測位機能、ブラウザ機能、外部メモリインターフェース、外部ケーブル用コネクタ、赤外線通信機能、カメラ機能を実現するための回路構成などをも備えている。
【００３５】
〔オブジェクト装飾時におけるユーザインターフェース及び動作の概要〕
ここで、本実施形態の携帯電話端末は、例えば電子メールの作成や電話帳の編集などの際に、文字や記号等のオブジェクトに対して、例えば色、サイズ、点滅の有無、動きなど、ユーザ所望の装飾を施すことが可能となっている。なお、本実施形態におけるオブジェクトへの装飾付加機能は、上記制御部１０がメモリ１５内のオブジェクト装飾プログラムに基づいて実行する処理であり、以下、制御部１０の動作を中心に説明することとする。
【００３６】
先ず、本実施形態の携帯電話端末の制御部１０における上記オブジェクトへの装飾付加機能は、例えばディスプレイ２上に表示される複数のメニュー項目の中でオブジェクト装飾用に予め用意されているメニュー項目を、ユーザが上記方向指示デバイス８の操作により選択した時に実行可能となる。なお、本実施形態では、オブジェクトへの装飾付加機能に関連するメニューとして、装飾を施す一つのオブジェクト又は複数のオブジェクト群を指定するための「範囲指定装飾」のメニュー項目と、実際の装飾内容を指定するための「デコレーション」のメニュー項目とが少なくとも用意されており、上記「デコレーション」のメニュー項目が選択された時に、オブジェクト装飾付加機能が実行可能となる。
【００３７】
また、本実施形態において、上記「デコレーション」のメニュー項目の下位には、図３に示すような複数のサブメニュー項目が用意されており、上記「デコレーション」のメニュー項目が選択されると、上記制御部１０は、当該図３に示すようなサブメニュー項目を上記ディスプレイ２上に表示させる。
【００３８】
この図３の例では、上記サブメニュー項目として、「色／サイズ」のメニュー項目、「動き／位置／点滅」のメニュー項目、「画像挿入」のメニュー項目、「ライン挿入」のメニュー項目、「背景色」のメニュー項目、「装飾変更」のメニュー項目、「全解除」のメニュー項目等が用意されている。なお、「色／サイズ」のメニュー項目ではオブジェクトの色とオブジェクトのサイズが指定可能となされており、「動き／位置／点滅」のメニュー項目ではディスプレイ２上でオブジェクトの動きと表示位置と点滅の有無が指定可能となされ、「画像挿入」のメニュー項目では別途用意されている画像データフォルダの中から所望の画像を読み出してオブジェクト上に挿入表示させるための指定が可能となされ、「ライン挿入」のメニュー項目ではオブジェクト近傍にラインを挿入するための指定が可能となされ、「背景色」のメニュー項目ではオブジェクトの背景色が指定可能となされ、「装飾変更」のメニュー項目では装飾を変更するオブジェクトを指定するための範囲選択が可能となされ、「全解除」のメニュー項目ではオブジェクトの装飾の解除が可能となされている。この図３に示したサブメニュー項目は一例である。
【００３９】
本実施形態において、上述したように、オブジェクトの装飾付加機能が実行された場合、又は、必要に応じて「デコレーション」のサブメニュー項目の中から所望のメニュー項目がユーザにより選択された場合、制御部１０は、ディスプレイ２の所定の位置に、装飾指定用のユーザインターフェースウィンドウを表示させる。すなわち、本実施形態の制御部１０は、例えば、「色／サイズ」に関する装飾指定用ウィンドウとして、図４〜図６に示すようなウィンドウ２２をディスプレイ２の所定位置に表示させ、また例えば、「動き／位置／点滅」に関する装飾指定用ウィンドウとして図７〜図９に示すようなウィンドウ２２を、さらに例えば、「背景色」に関する装飾指定用ウィンドウとして図１０，図１１に示すようなウィンドウ２２をディスプレイ２の所定位置に表示させる。また、本実施形態において、制御部１０は、ウィンドウ２２の例えば上側に、上記ウィンドウ２２にて選択中若しくは確定後の装飾が施されたオブジェクトのサンプルを表示（いわゆるプレビュー）するウィンドウ２１をディスプレイ２に表示させることも行う。なお、図４〜図１１では、サンプル用ウインドウ２１内に、「サンプル」の文字がオブジェクトの装飾サンプルとして表示されている例を示している。
【００４０】
ここで、上記図４〜図６に示す「色／サイズ」の装飾指定用ウィンドウ２２内には、オブジェクトに対して指定可能な複数種類の装飾のうち、色に関する装飾情報を指定するためのパレット（本発明にかかる第２の装飾アイコン群に相当するパレット、以下、カラーパレット２３と表記する）と、大きさ（サイズ）に関する装飾情報を指定するためのパレット（本発明にかかる第１の装飾アイコン群に相当するパレット、以下、サイズパレット２４と表記する）とが配される。上記カラーパレット２３は、オブジェクトに対して付加可能な例えば「赤」，「青」，「緑」・・・等の複数の各色を個々に表す装飾アイコン（以下、各色毎の装飾アイコンを特に色アイコンと表記する）が図中の横方向に配列されたものであり、サイズパレット２４は、オブジェクトに対して指定可能な例えば「Ｌ」（大），「Ｍ」（中），「Ｓ」（小）の複数のサイズを個々に表す装飾アイコン（以下、各サイズ毎の装飾アイコンを特にサイズアイコンと表記する）が図中の縦方向に配列されたものである。そして、上記複数の色アイコンが図中の横方向に配列されたカラーパレット２３と上記複数のサイズアイコンが図中の縦方向に配列されたサイズパレット２４は、方向指示デバイス８における指示可能な方向と対応するように表示されると共に、横方向のカラーパレット２３と縦方向のサイズパレット２４の交差位置における一組の色アイコンとサイズアイコンが重なる形で配置されて表示されており、また、カラーパレット２３とサイズパレット２４の交差位置の一組の色アイコンとサイズアイコンは、決定ボタン７に対応付けられている。なお、カラーパレット２３とサイズパレット２４の交差位置のアイコンは、他のアイコンと区別可能な表示状態（例えばフォーカスが当てられた表示状態）となされている。以下、上記フォーカスが当てられている表示状態の上記交差位置のアイコンを、特にフォーカスアイコン２９と表記することにする。
【００４１】
上記図４〜図６に示すカラーパレット２３の図中横方向の各色アイコンは、ユーザによる方向指示デバイス８の左右何れかの方向指示操作に応じて選択可能となされており、また、上記サイズパレット２４の図中縦方向の各サイズアイコンは、ユーザによる方向指示デバイス８の上下何れかの方向指示操作に応じて選択可能となされている。すなわち、本実施形態によれば、ユーザによる方向指示デバイス８の上下左右の方向指示操作に応じて、カラーパレット２３及びサイズパレット２４上のフォーカスアイコン２９の位置（交差位置）移動すると同時に、当該フォーカスアイコン２９に対応している色及びサイズにより、オブジェクトの色とサイズが同時に選択され、さらに、それら色とサイズは、決定ボタン７の押下操作により確定するようになされている。
【００４２】
ここで、図４の例は、フォーカスアイコン２９が初期位置（初期交差位置）となされている時の「色／サイズ」装飾指定用のウィンドウ２２を示しており、この図４の初期状態の後、ユーザから方向指示デバイス８を例えば左方向へ２回押下する操作が行われると、制御部１０は、「色／サイズ」装飾指定用のウィンドウ２２の表示を図５のように変更し、この図５におけるフォーカスアイコン２９に対応した色及びサイズが選択されている状態、つまり、カラーパレット２３の左から三つ目の色アイコンに対応した色の装飾情報が選択されると共にサイズパレット２４では「Ｍ」のサイズアイコンに対応したサイズの装飾情報が選択されている状態へ遷移する。また、この図５の状態の後、ユーザから方向指示デバイス８を例えば上方向へ１回押下する操作が行われると、制御部１０は、「色／サイズ」装飾指定用のウィンドウ２２の表示を図６のように変更し、この図６におけるフォーカスアイコン２９に対応した色及びサイズが選択されている状態、つまり、サイズパレット２４では「Ｌ」サイズの装飾情報が選択されると共にカラーパレット２３では左から三つ目のアイコンに対応した色の装飾情報が選択されている状態に遷移する。
【００４３】
そして、例えばこの図６の状態で、ユーザにより決定ボタン７が押下操作された場合、制御部１０は、上記サイズパレット２４での「Ｌ」サイズの装飾情報の選択状態とカラーパレット２３での左から三つ目のアイコンに対応した色の装飾情報の選択状態を確定する。
【００４４】
また、上記図７〜図９に示す「動き／位置／点滅」の装飾指定用ウィンドウ２２内には、オブジェクトに対して指定可能な複数種類の装飾のうち、オブジェクトの動きと位置についての装飾情報を指定するためのパレット（本発明にかかる第２の装飾アイコン群に相当するパレット、以下、動き／位置パレット２５と表記する）と、オブジェクトの点滅についての装飾情報を指定するためのパレット（以下、点滅パレット２６と表記する）とが配される。上記動き／位置パレット２４は、オブジェクトの位置を例えば左端、中央、右端に揃えるような複数の位置を個々に表す装飾アイコン（本発明にかかる第１の装飾アイコン群に相当するパレット、以下、各位置毎の装飾アイコンを特に位置アイコンと表記する）とオブジェクトを例えば左右何れか一方向に移動させたり左右方向に反復移動させたりするような複数の動きを個々に表す装飾アイコン（以下、各動き毎の装飾アイコンを特に動きアイコンと表記する）とが、図中の横方向に配列されたものであり、点滅パレット２６は、オブジェクトの点滅の有無等を個々に表す装飾アイコン（以下、各点滅の有無の装飾アイコンを特に点滅アイコンと表記する）が図中の縦方向に配列されたものである。そして、上記複数の位置アイコン及び動きアイコンが図中の横方向に配列された動き／位置パレット２５と、上記複数の点滅アイコンが図中の縦方向に配列された点滅パレット２６とは、方向指示デバイス８における指示可能な方向と対応するように表示されると共に、横方向の動き／位置パレット２５と縦方向の点滅パレット２６の交差位置における一組の動き又は位置アイコンと点滅アイコンとが重なる形で配置されて表示されており、また、動き／位置パレット２５と点滅パレット２６の交差位置の一組のアイコンは、決定ボタン７に対応付けられている。なお、動き／位置パレット２５の内、左端から３個のアイコンは位置アイコンであり、最も左の位置アイコンはオブジェクトを左端位置に揃える装飾を表しており、左から２番目の位置アイコンはオブジェクトを中央位置に揃える装飾を、左から３番目の位置アイコンはオブジェクトを右端位置に揃える装飾を表している。また、動き／位置パレット２５の内、右端から２個のアイコンは動きアイコンであり、最も右の動きアイコンはオブジェクトを左右方向に往復移動させる装飾を表しており、右から２番目の動きアイコンはオブジェクトを左右何れか一方向に移動させる装飾を表している。また、点滅パレット２６の内、縦方向で上の点滅アイコンはオブジェクトを点滅させる装飾を表しており、下の点滅アイコンはオブジェクトを点滅させない装飾を表している。
【００４５】
上記図７〜図９に示す動き／位置パレット２５の横方向に並んだ各位置アイコンと動きアイコンは、ユーザによる方向指示デバイス８の左右何れかの方向指示操作に応じて選択可能となされており、また、上記点滅パレット２６の縦方向の各点滅アイコンは、ユーザによる方向指示デバイス８の上下何れかの方向指示操作に応じて選択可能となされている。すなわち、本実施形態によれば、ユーザによる方向指示デバイス８の上下左右の方向指示操作に応じて、動き／位置パレット２５及び点滅パレット２６上でのフォーカスアイコン２９の位置（交差位置）が移動すると同時に、当該フォーカスアイコン２９に対応した動き又は位置の装飾情報と点滅の装飾情報により、オブジェクトの動きと位置と点滅が同時に選択され、さらに、それら動き又は位置の装飾情報と点滅の装飾情報の選択は、決定ボタン７の押下操作により確定するようになされている。
【００４６】
ここで、図７の例は、フォーカスアイコン２９が初期位置（初期交差位置）となされている時の「動き／位置／点滅」装飾指定用のウィンドウ２２を示しており、この図７の初期状態の後、ユーザから方向指示デバイス８を例えば左方向へ１回押下する操作が行われると、制御部１０は、「動き／位置／点滅」装飾指定用のウィンドウ２２の表示を図８のように変更し、この図７におけるフォーカスアイコン２９に対応した動き又は位置と点滅が選択されている状態、つまり、動き／位置パレット２５の左から三つ目の位置アイコン（右端揃え）に対応した位置の装飾情報が選択されると共に点滅パレット２４では非点滅の装飾情報が選択されている状態へ遷移する。また、この図８の状態の後、ユーザから方向指示デバイス８を例えば上方向へ１回押下する操作が行われると、制御部１０は、「動き／位置／点滅」装飾指定用のウィンドウ２２の表示を図９のように変更し、この図９におけるフォーカスアイコン２９に対応した動き又は位置と点滅が選択されている状態、つまり、点滅パレット２６では点滅の装飾情報が選択されると共に動き／位置パレット２５では左から三つ目の位置アイコンに対応した位置（右端揃え）の装飾情報が選択されている状態に遷移する。
【００４７】
そして、例えばこの図９の状態で、ユーザにより決定ボタン７が押下操作された場合、制御部１０は、上記点滅パレット２６での点滅の装飾情報の選択状態と動き／位置パレット２５での左から三つ目の位置アイコンに対応した位置（右端揃え）の装飾情報の選択状態を確定する。
【００４８】
また、上記図１０，図１１に示す「背景色」の装飾指定用ウィンドウ２３内には、オブジェクトに対して指定可能な複数種類の装飾のうち、オブジェクトの背景色についての装飾情報を指定するためのカラーパレット２３が配される。当該オブジェクトの背景色についてのカラーパレット２３は、前述同様、方向指示デバイス８における指示可能な方向の内、例えば左右方向と対応するように、オブジェクトに対して付加可能な例えば「赤」，「青」，「緑」・・・等の複数の各色を個々に表す装飾アイコン（色アイコン）が図中の横方向に配列されている。また、この図１０，図１１のカラーパレット２３において、決定ボタン７に対応付けられている色アイコンは、他の色アイコンと区別可能にフォーカス（フォーカスアイコン２９）が当てられている。
【００４９】
上記図１０，図１１に示すカラーパレット２３の図中横方向の各色アイコンは、ユーザによる方向指示デバイス８の左右何れかの方向指示操作に応じて選択可能となされている。すなわち、本実施形態によれば、ユーザによる方向指示デバイス８の左右の方向指示操作に応じて、カラーパレット２５上でフォーカスアイコン２９の位置が移動すると同時に、当該フォーカスアイコン２９に対応した色によりオブジェクトの背景色が選択され、さらに、当該色は決定ボタン７の押下操作により確定するようになされている。
【００５０】
ここで、図１０の例は、フォーカスアイコン２９が初期位置となされている時の「背景色」装飾指定用のウィンドウ２２を示しており、この図１０の初期状態の後、ユーザから方向指示デバイス８を例えば左方向へ２回押下する操作が行われると、制御部１０は、「背景色」装飾指定用のウィンドウ２２の表示を図１１のように変更し、この図１１におけるフォーカスアイコン２９に対応した色が選択されている状態、つまり、カラーパレット２３の左から三つ目のアイコンに対応した色の装飾情報が選択されている状態へ遷移する。
【００５１】
そして、例えばこの図１１の状態で、ユーザにより決定ボタン７が押下操作された場合、制御部１０は、上記カラーパレット２３での左から三つ目のアイコンに対応した色の装飾情報の選択状態を確定する。
【００５２】
〔オブジェクト装飾の具体例〕
以下、図１２〜図２７を参照しながら、電子メールの作成時の文字（オブジェクト）に装飾を施す具体例を挙げ、本実施形態の携帯電話端末の動作を説明する。なお、以下の具体例は、上記制御部１０がメモリ１５内のオブジェクト装飾プログラムと電子メールプログラムに基づいて実行する処理であり、制御部１０の動作を中心に説明することとする。
【００５３】
先ず、図１２には、電子メールの作成途中のディスプレイ２の表示画面例を示している。なお、本実施形態において、当該電子メール作成中のディスプレイ２の画面は、メール本文が表示されるメール本文表示領域３１と、操作部１３の各キーと対応付けられたソフトキーに割り当てられている機能を表示する機能表示領域３３と、現在の機能実行状態を表示する状態表示領域３２とに分けられている。また、図１２の例では、メール本文表示領域３１内の文字のうち、或る文字にフォーカス３４が当たっている状態を示している。
【００５４】
上記図１２の状態において、例えば機能表示領域３３の左上に表示されている「機能」のソフトキーに対応した操作部１３上のキーが押下操作される（例えば方向指示デバイス８で左方向指示がなされる）と、制御部１０は、図１３に示すように、ディスプレイ２のメール作成画面上に、当該携帯電話端末が実行可能な複数の機能を示す複数のメニュー項目を列記したメニューウィンドウ３５を表示させる。なお、図１３の例はメニューウィンドウ３５の初期状態を示しており、「範囲指定装飾」のメニュー項目にフォーカス３６が当たっている状態を示している。
【００５５】
ここで、図１３に示すように、メニューウィンドウ３５の「範囲指定装飾」にフォーカス３６が当たっている状態で、機能表示領域３３の中央に表示されている「選択」のソフトキーに対応した操作部１３上のキー（例えば決定ボタン７）が押下操作されると、制御部１０は、図１４に示すように、状態表示領域３２に範囲指定装飾を施す始点位置（文字）を選択するようにユーザへ求めるメッセージを表示すると共に、メール本文表示領域３１上で文字の装飾範囲を指定可能な状態に遷移する。
【００５６】
上記図１４に示すように、メール本文表示領域３１上の所望の文字にフォーカス３４が当たっている状態で、例えば操作部１３の方向指示デバイス８により右方向指示の押下操作が所望回数連続（例えば８回連続）して行われると、制御部１０は、図１５に示すように、メール本文表示領域３１上の文字の装飾指定範囲を上記方向指示デバイス８の右方向指示の押下操作に応じて右方向に広げるように表示すると共に、状態表示領域３２に範囲指定装飾の終点位置（文字）を選択するようにユーザへ求めるメッセージを表示する。そして、この図１５の状態の時、例えばユーザにより操作部１３の決定ボタン７が押下操作されると、装飾範囲の指定を完了する。
【００５７】
次に、上述のように装飾範囲の指定が完了すると、制御部１０は、図１６に示すように、ディスプレイ２上に前述の図４に示したような「色／サイズ」の装飾指定用の初期ウィンドウ２２とサンプル表示用のウィンドウ２１を表示させ、「色／サイズ」の装飾を指定可能な状態に遷移する。なおこの時、制御部１０は、サンプル表示用のウィンドウ２１内には、メール本文表示領域３１上でフォーカス３４が当てられている装飾指定範囲内の各文字を表示させる。
【００５８】
ここで、この図１６の表示状態において、ユーザから方向指示デバイス８を例えば上方向へ１回押下する操作が行われると、制御部１０は、「色／サイズ」装飾指定用のウィンドウ２２内のカラーパレット２３を図１７のように上方向に移動させることで、サイズパレット２４では「Ｌ」サイズが選択されると共にカラーパレット２３では初期位置のアイコンに対応した色が選択されている状態にディスプレイ２上の表示を制御する。またこの時、制御部１０は、サンプル表示用のウィンドウ２１内の文字に対しては、当該「色／サイズ」装飾指定用のウィンドウ２２での選択状態を反映させる。
【００５９】
次に、図１７の表示状態において、ユーザから方向指示デバイス８を例えば左方向へ２回押下する操作が行われると、制御部１０は、「色／サイズ」装飾指定用のウィンドウ２２の表示を図１８のように上方向に移動させ、サイズパレット２４では「Ｌ」サイズが選択されたままで、カラーパレット２３では左から三つ目の色アイコンに対応した色が選択されている状態にディスプレイ２上の表示を制御する。またこの時、制御部１０は、サンプル表示用のウィンドウ２１内の文字に対しては、当該「色／サイズ」装飾指定用のウィンドウ２２での選択状態を反映させる。
【００６０】
そして、この図１８の状態で、ユーザにより決定ボタン７が押下操作された場合、制御部１０は、上記サイズパレット２４での「Ｌ」サイズの選択状態とカラーパレット２３での左から三つ目の色アイコンに対応した色の選択状態を確定する。またこの時、制御部１０は、サンプル表示用のウィンドウ２１内の文字に対して、当該「色／サイズ」装飾指定用のウィンドウ２２での確定状態を反映させると共に、メール本文表示領域３１上でフォーカス３４が当てられている文字列に対しても、上記「色／サイズ」装飾指定用のウィンドウ２２での確定状態を反映させる。
【００６１】
次に、上述のように「色／サイズ」装飾範囲のウィンドウ２２における装飾の指定が完了すると、制御部１０は、図１９に示すように、ディスプレイ２上に前述の図７に示したような「動き／位置／点滅」の装飾指定用の初期ウィンドウ２２とサンプル表示用のウィンドウ２１を表示させ、「動き／位置／点滅」の装飾を指定可能な状態に遷移する。
【００６２】
この図１９の表示状態において、ユーザから方向指示デバイス８を例えば上方向へ１回押下する操作が行われると、制御部１０は、「動き／位置／点滅」装飾指定用のウィンドウ２２内の動き／位置パレット２５を図２０のように上方向に移動させることで、点滅パレット２６では点滅が選択されると共に動き／位置パレット２５では初期位置のアイコンが選択されている状態にディスプレイ２上の表示を制御する。またこの時、制御部１０は、サンプル表示用のウィンドウ２１内の文字に対しては、既に色とサイズの装飾指定が反映されている状態に、さらに、当該「動き／位置／点滅」装飾指定用のウィンドウ２２での選択状態を反映させる。
【００６３】
次に、図２０の表示状態において、ユーザから方向指示デバイス８を例えば右方向へ２回押下する操作が行われると、制御部１０は、「動き／位置／点滅」装飾指定用のウィンドウ２２内の点滅パレット２６を図２１のように右方向に２アイコン分移動させることで、点滅パレット２６では点滅アイコンが選択されたままで、動き／位置パレット２５では左右方向の反復移動が選択されている状態にディスプレイ２上の表示を制御する。またこの時、制御部１０は、サンプル表示用のウィンドウ２１内の文字に対しては、既に色とサイズの装飾指定が反映されている状態に、さらに、当該「動き／位置／点滅」装飾指定用のウィンドウ２２での選択状態を反映させる。
【００６４】
そして、この図２１の状態で、ユーザにより決定ボタン７が押下操作された場合、制御部１０は、上記動き／位置パレット２５での左右方向の反復移動の選択状態と点滅パレット２６での点滅の選択状態を確定する。またこの時、制御部１０は、サンプル表示用のウィンドウ２１内の文字に対して、先の色とサイズの装飾確定状態に、さらに、当該「動き／位置／点滅」装飾指定用のウィンドウ２２での確定状態を反映させると共に、メール本文表示領域３１上でフォーカス３４が当てられている文字列に対しても、先の色とサイズの装飾確定状態に、さらに、上記「動き／位置／点滅」装飾指定用のウィンドウ２２での確定状態を反映させる。
【００６５】
その後、その他の装飾指示がなされず、ユーザにより決定ボタン７が押下操作された場合、制御部１０は、図２２に示すように、メール本文表示領域３１で装飾範囲が指定されている文字列（フォーカス３４が当てられている文字列）を、上述したような「色／サイズ」「動き／位置／点滅」についての装飾が施された状態でディスプレイ２上の表示させる。
【００６６】
なお、上述した各装飾アイコン等の選択途中（決定ボタン７が押下操作される前）において、例えばクリアキーが押下操作された場合、制御部１０は、一つ前の決定状態に処理を戻すように制御する。すなわち例えば、図１３の状態の時にクリアキーが押下操作された場合には図１２の状態に戻し、図１５の状態の時にクリアキーが押下操作された場合には図１４の状態に戻し、図１６の状態の時にクリアキーが押下操作された場合には図１５の状態に戻し、図１９の状態の時にクリアキーが押下操作された場合には図１８の状態に戻す。
【００６７】
また、本実施形態の携帯電話端末では、前述の図１３の状態において、操作部１３上のキーが押下操作され（例えば方向指示デバイス８で下方向指示がなされ）ることで、例えば「デコレーション」のメニュー項目がユーザにより選択された場合、制御部１０は、図２３に示すように、ディスプレイ２のメール作成画面上に、前述した図３のようなサブメニューウィンドウ３７を表示させる。そして、操作部１３上のキー（例えば方向指示デバイス８）が押下操作され、当該サブメニューウィンドウ３７から所望のメニュー項目が選択された場合、制御部１０は、その選択されたメニュー項目内での装飾を直接指定可能な状態に遷移する。
【００６８】
例えば、上記図２３の状態において、ユーザが操作部１３の方向指示デバイス８を操作し、上記サブメニューウィンドウ３７から例えば「色／サイズ」のメニュー項目を選択すると、制御部１０は、図２４に示すように、ディスプレイ２上に前述の図４に示したような「色／サイズ」の装飾指定用の初期ウィンドウ２２とサンプル表示用のウィンドウ２１を表示させると共に、それら「色／サイズ」の装飾を指定可能な状態に遷移する。なおこの時、制御部１０は、サンプル表示用のウィンドウ２１内には、メール本文表示領域３１上でフォーカス３４が当てられている装飾指定範囲内の文字を表示させる。
【００６９】
また、上記図２３の状態において、ユーザが操作部１３の方向指示デバイス８を操作し、上記サブメニューウィンドウ３７から例えば「動き／位置／点滅」のメニュー項目を選択すると、制御部１０は、図２５に示すように、ディスプレイ２上に前述の図７に示したような「動き／位置／点滅」の装飾指定用の初期ウィンドウ２２とサンプル表示用のウィンドウ２１を表示させると共に、それら「動き／位置／点滅」の装飾を指定可能な状態に遷移する。
【００７０】
また、上記図２３の状態において、ユーザが操作部１３の方向指示デバイス８を操作し、上記サブメニューウィンドウ３７から例えば「背景色」のメニュー項目を選択すると、制御部１０は、図２６に示すように、ディスプレイ２上に前述の図１０に示したような「背景色」の装飾指定用の初期ウィンドウ２２とサンプル表示用のウィンドウ２１を表示させると共に、当該「背景色」の装飾を指定可能な状態に遷移する。
【００７１】
〔まとめ〕
以上説明したように、本実施形態の携帯電話端末によれば、前述の図４〜図１１で説明したように、「色／サイズ」における各色とサイズや、「動き／位置／点滅」における動き／位置と点滅等のような複数の装飾を、方向指示デバイス８の指示方向に対応させて配列し、当該方向指示デバイス８による方向指示により複数の装飾を一度に選択し、それら選択された状態の複数の装飾を、決定キー７の押下操作により一括して決定（確定）することにより、従来よりも、オブジェクトの装飾に必要なユーザ操作数を削減でき、ユーザがオブジェクトに装飾を付加させる際の操作効率を高めることが可能となっている。
【００７２】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００７３】
上述の実施形態では、事後装飾を例に挙げているが、本発明は事前装飾にも勿論適用可能である。
【００７４】
前述した装飾指定用のウィンドウ２２内に配置される装飾のためのパレットは、例えば、図２７〜図３０に示すようなパレットであっても良い。図２７は、操作部１３の方向指示デバイスが８方向を指示可能なデバイスや回転等により８方向を指示可能なデバイスであるとき、当該方向指示デバイスの指示方向に対応して複数の装飾アイコンが円形状に配列されたパレット４０と、操作部１３上の例えばテンキー４のうち縦方向に並んだ所定の３個のキーに対応して複数の装飾アイコンが配列されたパレット４１とが、装飾指定用のウィンドウ２２内に配置された例を示している。この図２７の例の場合、上記パレット４０とパレット４１上にそれぞれ一つのフォーカスアイコンが表示され、それらフォーカスアイコンが方向指示デバイスとテンキーの操作に連動して移動することになる。図２８は、操作部１３の方向指示デバイスが８方向を指示可能であるとき、その方向指示デバイスの指示方向に対応して複数の装飾アイコンが四角形状に配列されたパレット４２と、操作部１３上の例えばテンキー４のうちそれぞれ横方向に並んだ所定の３個のキーに対応して複数の装飾アイコンが配列されたパレット４３及び４４とが、装飾指定用のウィンドウ２２内に配置された例を示している。この図２８の例の場合、上記パレット４２とパレット４３及び４４上にそれぞれ一つのフォーカスアイコンが表示され、それらフォーカスアイコンが方向指示デバイスとテンキーの操作に連動して移動することになる。図２９は、操作部１３の方向指示デバイスが前述の実施形態と同様に上下左右方向を指示可能であるとき、当該方向指示デバイスの指示方向に対応して、横方向に複数の装飾アイコンが配列されたパレット４５と、縦方向に複数の装飾アイコンが配列されたパレット４６とが、装飾指定用のウィンドウ２２内に配置された例を示している。この図２９の例の場合、上記パレット４５とパレット４６上にそれぞれ一つのフォーカスアイコンが表示され、それらフォーカスアイコンが方向指示デバイスの操作に連動して移動することになる。図３０は、操作部１３の方向指示デバイスが前述の実施形態と同様に上下左右方向を指示可能であるとき、当該方向指示デバイスの指示方向に対応して、それぞれ横方向に複数の装飾アイコンが配列されたパレット４８及び４９と、それぞれ縦方向に複数の装飾アイコンが配列されたパレット４７及び５０とが、装飾指定用のウィンドウ２２内に配置された例を示している。この図３０の例の場合、上記パレット４７〜５０上にそれぞれ一つのフォーカスアイコンが表示される、それらフォーカスアイコンが方向指示デバイスの操作に連動して移動することになる。
【００７５】
また、上述の実施形態では、携帯電話端末を例に挙げているが、本発明は、ＰＤＡ等の各種の携帯端末にも適用可能である。
【図面の簡単な説明】
【００７６】
【図１】本発明実施形態の携帯電話端末の概略的な外観構成を示す図である。
【図２】本発明実施形態の携帯電話端末の概略的な内部回路構成を示すブロック図である。
【図３】「デコレーション」メニューが選択された場合のサブメニュー項目の説明に用いる図である。
【図４】「色／サイズ」の装飾指定用ウィンドウにおいてフォーカスアイコンが初期位置となされている状態を示す図である。
【図５】「色／サイズ」の装飾指定用ウィンドウにおいて図４の状態から方向指示デバイスが左方向へ２回押下操作されてフォーカスアイコンが移動した後の状態を示す図である。
【図６】「色／サイズ」の装飾指定用ウィンドウにおいて図５の状態から方向指示デバイスが上方向へ１回押下操作されてフォーカスアイコンが移動した後の状態を示す図である。
【図７】「動き／位置／点滅」の装飾指定用ウィンドウにおいてフォーカスアイコンが初期位置となされている状態を示す図である。
【図８】「動き／位置／点滅」の装飾指定用ウィンドウにおいて図７の状態から方向指示デバイスが左方向へ１回押下操作されてフォーカスアイコンが移動した後の状態を示す図である。
【図９】「動き／位置／点滅」の装飾指定用ウィンドウにおいて図８の状態から方向指示デバイスが上方向へ１回押下操作されてフォーカスアイコンが移動した後の状態を示す図である。
【図１０】「背景色」の装飾指定用ウィンドウにおいてフォーカスアイコンが初期位置となされている状態を示す図である。
【図１１】「背景色」の装飾指定用ウィンドウにおいて図１０の状態から方向指示デバイスが左方向へ２回押下操作されてフォーカスアイコンが移動した後の状態を示す図である。
【図１２】電子メールの作成途中のディスプレイの表示画面例を示す図である。
【図１３】図１２の状態で機能表示領域の「機能」のソフトキーが指示されてメニューウィンドウがポップアップした時のディスプレイの表示画面例を示す図である。
【図１４】図１３のメニューウィンドウから「範囲指定装飾」が選択されることで、メール本文表示領域上で文字の装飾範囲を指定可能な状態となった時のディスプレイの表示画面例を示す図である。
【図１５】図１４の状態で、方向指示デバイスにより右方向指示の押下操作が８回連続して行われることで、メール本文表示領域上で複数の文字列が装飾範囲に指定された時のディスプレイの表示画面例を示す図である。
【図１６】図１５での装飾範囲指定後、「デコレーション」のサブメニューのうち「色／サイズ」のメニューが選択されることで、フォーカスアイコンが初期位置となる「色／サイズ」の装飾指定用ウィンドウが表示された時のディスプレイの表示画面例を示す図である。
【図１７】図１６の「色／サイズ」の装飾指定用ウィンドウにおいて方向指示デバイスが上方向へ１回押下操作されてフォーカスアイコンが移動した時のディスプレイの表示画面例を示す図である。
【図１８】図１７の「色／サイズ」の装飾指定用ウィンドウにおいて方向指示デバイスが左方向へ２回押下操作されてフォーカスアイコンが移動した時のディスプレイの表示画面例を示す図である。
【図１９】図１８での装飾確定後、「デコレーション」のサブメニューのうち「動き、位置／点滅」のメニューが選択されることで、フォーカスアイコンが初期位置となる「動き、位置／点滅」の装飾指定用ウィンドウが表示された時のディスプレイの表示画面例を示す図である。
【図２０】図１９の「動き／位置／点滅」の装飾指定用ウィンドウにおいて方向指示デバイスが上方向へ１回押下操作されてフォーカスアイコンが移動した時のディスプレイの表示画面例を示す図である。
【図２１】図２０の「動き／位置／点滅」の装飾指定用ウィンドウにおいて方向指示デバイスが右方向へ２回押下操作されてフォーカスアイコンが移動した時のディスプレイの表示画面例を示す図である。
【図２２】図２１での装飾確定後、決定ボタンが押下されることで、装飾範囲指定がなされた文字列に装飾が反映された時のディスプレイの表示画面例を示す図である。
【図２３】図１３のメニューウィンドウから「デコレーション」のメニュー項目がユーザにより選択されることでサブメニューウィンドウがポップアップした時のディスプレイの表示画面例を示す図である。
【図２４】図２３の状態において、「色／サイズ」のサブメニューが選択されることで、フォーカスアイコンが初期位置となっている「色／サイズ」の装飾指定用ウィンドウが表示された時のディスプレイの表示画面例を示す図である。
【図２５】図２３の状態において、「動き／位置／点滅」のサブメニューが選択されることで、フォーカスアイコンが初期位置となっている「動き／位置／点滅」の装飾指定用ウィンドウが表示された時のディスプレイの表示画面例を示す図である。
【図２６】図２３の状態において、「背景色」のサブメニューが選択されることで、フォーカスアイコンが初期位置となっている「背景色」の装飾指定用ウィンドウが表示された時のディスプレイの表示画面例を示す図である。
【図２７】８個の装飾アイコンが円形状に配列されたパレットと、縦方向に並んだ３個の装飾アイコンが配列されたパレットとが、装飾指定用のウィンドウ内に配置された例を示す図である。
【図２８】８個の装飾アイコンが四角形状に配列されたパレットと、それぞれ横方向に並んだ３個の装飾アイコンが配列されたパレットとが、装飾指定用のウィンドウ内に配置された例を示す図である。
【図２９】横方向に並んだ４個の装飾アイコンが配列されたパレットと、縦方向に並んだ４個の装飾アイコンが配列されたパレットとが、装飾指定用のウィンドウ内に配置された例を示す図である。
【図３０】それぞれ横方向に並んだ４個の装飾アイコンが配列された二つのパレットと、それぞれ縦方向に並んだ４個の装飾アイコンが配列された二つのパレットとが、装飾指定用のウィンドウ内に配置された例を示す図である。
【符号の説明】
【００７７】
１  携帯電話端末、２  ディスプレイ、３，１６  スピーカ、４  テンキー、５，１７  マイクロホン、７  決定ボタン、８  方向指示デバイス、１０  制御部、１１  通信回路、１２  通信アンテナ、１３  表示部、１４  操作部、１５  メモリ、１８  音声処理部、１９  画像処理部、２１  サンプル表示用のウィンドウ、２２  装飾指定用のウィンドウ、２３  カラーパレット、２４  サイズパレット、２５  動き／位置パレット、２６  点滅パレット、２９  フォーカスアイコン、３１  メール本文表示領域、３２  状態表示領域、３３  機能表示領域、３４  装飾範囲指定用のフォーカス、３５  メニューウィンドウ、３６  「範囲指定装飾」メニュー項目のフォーカス、３７  サブメニューウィンドウ、４０〜５０  他の例のパレット
【図１】
2006227844.tif 000003
【図２】
2006227844.tif 000004
【図３】
2006227844.tif 000005
【図４】
2006227844.tif 000006
【図５】
2006227844.tif 000007
【図６】
2006227844.tif 000008
【図７】
2006227844.tif 000009
【図８】
2006227844.tif 000010
【図９】
2006227844.tif 000011
【図１０】
2006227844.tif 000012
【図１１】
2006227844.tif 000013
【図１２】
2006227844.tif 000014
【図１３】
2006227844.tif 000015
【図１４】
2006227844.tif 000016
【図１５】
2006227844.tif 000017
【図１６】
2006227844.tif 000018
【図１７】
2006227844.tif 000019
【図１８】
2006227844.tif 000020
【図１９】
2006227844.tif 000021
【図２０】
2006227844.tif 000022
【図２１】
2006227844.tif 000023
【図２２】
2006227844.tif 000024
【図２３】
2006227844.tif 000025
【図２４】
2006227844.tif 000026
【図２５】
2006227844.tif 000027
【図２６】
2006227844.tif 000028
【図２７】
2006227844.tif 000029
【図２８】
2006227844.tif 000030
【図２９】
2006227844.tif 000031
【図３０】
2006227844.tif 000032